【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
１ミリ秒よりも短い第１の送信時間間隔（ＴＴＩ）および第１の数のリソースブロックで前記ＵＥを構成する、第１の構成を受信することと、
１ミリ秒よりも短い第２のＴＴＩおよび第２の数のリソースブロックで前記ＵＥを構成する、第２の構成を受信することと、ここにおいて、
前記第１のＴＴＩおよび前記第２のＴＴＩは異なり、
リソースブロックの前記第１の数は、リソースブロックの前記第２の数とは異なり、
前記第１の構成にしたがった前記第１のＴＴＩに基づいて、および前記第２の構成にしたがった前記第２のＴＴＩに基づいて通信することと
を備える、方法。
【請求項２】
前記情報は、
前記ＵＥに関する動的にシグナリングされたスケジューリング情報、または
前記ＵＥに関する半静的にシグナリングされたスケジューリング情報
を備える、請求項１に記載の方法。
【請求項３】
前記第１のＴＴＩは、ダウンリンクまたはアップリンク通信に使用されるように構成され、前記第２のＴＴＩは、ダウンリンクまたはアップリンク通信のうちの他方に使用されるように構成される、請求項１に記載の方法。
【請求項４】
前記第１のＴＴＩは、第１のコンポーネントキャリア上の通信に使用されるように構成され、前記第２のＴＴＩは、第２のコンポーネントキャリア上の通信に使用されるように構成される、請求項１に記載の方法。
【請求項５】
前記情報は、無線リソース制御（ＲＲＣ）構成またはダウンリンク制御情報（ＤＣＩ）を介して前記ＵＥに示される、請求項１に記載の方法。
【請求項６】
前記情報は、サブフレームの異なるセットについての構成の異なるセットを示す、請求項１に記載の方法。
【請求項７】
前記情報は、前記第１のＴＴＩまたは前記第２のＴＴＩのうちの少なくとも１つのためのチャネル状態情報（ＣＳＩ）フィードバックについての測定を実行するために使用されるべきリソースをさらに示し、
前記方法は、そのＴＴＩのために前記示されたリソースに基づいて前記第１のＴＴＩまたは前記第２のＴＴＩのうちの少なくとも１つのためのＣＳＩフィードバックについての前記測定を実行することをさらに備える、請求項１に記載の方法。
【請求項８】
前記情報は、前記第１のＴＴＩまたは前記第２のＴＴＩのうちの少なくとも１つのためのダウンリンク制御情報（ＤＣＩ）における少なくとも１つの情報フィールドに使用されるべきリソースをさらに示し、
前記方法は、ＤＣＩにおける前記決定された少なくとも１つの情報フィールドに基づいて通信することをさらに備える、請求項１に記載の方法。
【請求項９】
基地局（ＢＳ）によるワイヤレス通信のための方法であって、
１ミリ秒よりも短い第１の送信時間間隔（ＴＴＩ）および第１の数のリソースブロックを有する、第１の構成を決定することと、
１ミリ秒よりも短い第２のＴＴＩおよび第２の数のリソースブロックを有する、第２の構成を決定することと、ここにおいて、
前記第１のＴＴＩおよび前記第２のＴＴＩは異なり、
リソースブロックの前記第１の数は、リソースブロックの前記第２の数とは異なり、
前記第１のＴＴＩのための前記第１の構成および前記第２のＴＴＩのための前記第２の構成を示す情報を送信することと
を備える、方法。
【請求項１０】
ユーザ機器（ＵＥ）によるワイヤレス通信のための装置であって、
１ミリ秒よりも短い第１の送信時間間隔（ＴＴＩ）および第１の数のリソースブロックで前記ＵＥを構成するように取り決められた第１の構成を受信するための手段と、
１ミリ秒よりも短い第２のＴＴＩおよび第２の数のリソースブロックで前記ＵＥを構成するように取り決められた第２の構成を受信するための手段と、ここにおいて、
前記第１のＴＴＩおよび前記第２のＴＴＩは異なり、
リソースブロックの前記第１の数は、リソースブロックの前記第２の数とは異なり、
前記第１の構成にしたがった前記第１のＴＴＩに基づいて、および前記第２の構成にしたがった前記第２のＴＴＩに基づいて通信するための手段と
を備える、装置。
【請求項１１】
基地局（ＢＳ）によるワイヤレス通信のための装置であって、
１ミリ秒よりも短い第１の送信時間間隔（ＴＴＩ）および第１の数のリソースブロックを有する、第１の構成を決定するための手段と、
１ミリ秒よりも短い第２のＴＴＩおよび第２の数のリソースブロックを有する、第２の構成を決定するための手段と、ここにおいて、
前記第１のＴＴＩおよび前記第２のＴＴＩは異なり、
リソースブロックの前記第１の数は、リソースブロックの前記第２の数とは異なり、
前記第１のＴＴＩのための前記第１の構成および前記第２のＴＴＩのための前記第２の構成を示す情報を送信するための手段と
を備える、装置。
【手続補正２】
【補正対象書類名】明細書
【補正対象項目名】０１１５
【補正方法】変更
【補正の内容】
【０１１５】
[0128]本願の特許請求の範囲が、上述された、まさにその構成およびコンポーネントに限定されないことが理解されるべきである。様々な修正、変更、および変形が、特許請求の範囲から逸脱することなく、上記に説明された方法および装置の配置、動作および詳細において行われ得る。
以下に本願の出願当初の特許請求の範囲に記載された発明を付記する。
［Ｃ１］  ユーザ機器（ＵＥ）によるワイヤレス通信のための方法であって、
第１の送信時間間隔（ＴＴＩ）に基づく第１の構成および第２のＴＴＩに基づく第２の構成を示す情報を受信することと、ここにおいて、
前記第１のＴＴＩおよび前記第２のＴＴＩは各々、第３のＴＴＩよりも短く、
前記第１のＴＴＩおよび前記第２のＴＴＩは異なる、
前記第１の構成にしたがった前記第１のＴＴＩに基づいて、および前記第２の構成にしたがった前記第２のＴＴＩに基づいて通信することと
を備える、方法。
［Ｃ２］  前記第１のＴＴＩは、２つのシンボルを備え、前記第２のＴＴＩは、１つのスロットを備え、前記第３のＴＴＩは、１ミリ秒を備える、Ｃ１に記載の方法。
［Ｃ３］  前記情報は、
前記ＵＥに関する動的にシグナリングされたスケジューリング情報、または
前記ＵＥに関する半静的にシグナリングされたスケジューリング情報
を備える、Ｃ１に記載の方法。
［Ｃ４］  前記第１のＴＴＩは、ダウンリンクまたはアップリンク通信に使用されるように構成され、前記第２のＴＴＩは、ダウンリンクまたはアップリンク通信のうちの他方に使用されるように構成される、Ｃ１に記載の方法。
［Ｃ５］  前記第１のＴＴＩは、第１のコンポーネントキャリア上の通信に使用されるように構成され、前記第２のＴＴＩは、第２のコンポーネントキャリア上の通信に使用されるように構成される、Ｃ１に記載の方法。
［Ｃ６］  前記情報は、無線リソース制御（ＲＲＣ）構成またはダウンリンク制御情報（ＤＣＩ）を介して前記ＵＥに示される、Ｃ１に記載の方法。
［Ｃ７］  前記構成は、前記通信することに使用される１つまたは複数のリソースブロックを備える、Ｃ１に記載の方法。
［Ｃ８］  前記第１のＴＴＩに示されるリソースの第１のリソース粒度は、前記第２のＴＴＩに示されるリソースの第２のリソース粒度とは異なる、Ｃ７に記載の方法。
［Ｃ９］  前記情報は、サブフレームの異なるセットについての構成の異なるセットを示す、Ｃ１に記載の方法。
［Ｃ１０］  前記情報は、前記第３のＴＴＩに基づく第３の構成をさらに示し、
前記方法は、前記第３の構成にしたがった前記第３のＴＴＩに基づいて通信することをさらに備える、Ｃ１に記載の方法。
［Ｃ１１］  前記情報は、前記第１のＴＴＩまたは前記第２のＴＴＩのうちの少なくとも１つのためのチャネル状態情報（ＣＳＩ）フィードバックについての測定を実行するために使用されるべきリソースをさらに示し、
前記方法は、そのＴＴＩのために前記示されたリソースに基づいて前記第１のＴＴＩまたは前記第２のＴＴＩのうちの少なくとも１つのためのＣＳＩフィードバックについての前記測定を実行することをさらに備える、Ｃ１に記載の方法。
［Ｃ１２］  前記情報は、前記第１のＴＴＩまたは前記第２のＴＴＩのうちの少なくとも１つのためのダウンリンク制御情報（ＤＣＩ）における少なくとも１つの情報フィールドに使用されるべきリソースをさらに示し、
前記方法は、ＤＣＩにおける前記決定された少なくとも１つの情報フィールドに基づいて通信することをさらに備える、Ｃ１に記載の方法。
［Ｃ１３］  基地局（ＢＳ）によるワイヤレス通信のための方法であって、
第１の送信時間間隔（ＴＴＩ）および第２のＴＴＩを決定することと、ここにおいて、  前記第１のＴＴＩおよび前記第２のＴＴＩは各々、第３のＴＴＩよりも短く、
前記第１のＴＴＩおよび前記第２のＴＴＩは異なる、
前記第１のＴＴＩに基づく第１の構成および前記第２のＴＴＩに基づく第２の構成を決定することと、
前記第１のＴＴＩのための前記第１の構成および前記第２のＴＴＩのための前記第２の構成を示す情報を送信することと
を備える、方法。
［Ｃ１４］  前記第１のＴＴＩは、２つのシンボルを備え、前記第２のＴＴＩは、１つのスロットを備え、前記第３のＴＴＩは、１ミリ秒を備える、Ｃ１３に記載の方法。
［Ｃ１５］  前記情報は、
少なくとも１つのユーザ機器（ＵＥ）に関する動的にシグナリングされたスケジューリング情報、または
前記少なくとも１つＵＥに関する半静的にシグナリングされたスケジューリング情報  を備える、Ｃ１３に記載の方法。
［Ｃ１６］  前記動的にシグナリングされたスケジューリング情報は、前記第１のＴＴＩのための前記第１の構成を示す第１のＵＥに関する動的にシグナリングされたスケジューリング情報および前記第２のＴＴＩのための前記第２の構成を示す第２のＵＥに関する動的にシグナリングされたスケジューリング情報を備える、Ｃ１５に記載の方法。
［Ｃ１７］  前記半静的にシグナリングされたスケジューリング情報は、前記第１のＴＴＩのための前記第１の構成を示す第１のＵＥに関する半静的にシグナリングされたスケジューリング情報および前記第２のＴＴＩのための前記第２の構成を示す第２のＵＥに関する半静的にシグナリングされたスケジューリング情報を備える、Ｃ１５に記載の方法。
［Ｃ１８］  前記第１のＴＴＩは、ダウンリンクまたはアップリンク通信に使用されるように構成され、前記第２のＴＴＩは、ダウンリンクまたはアップリンク通信のうちの他方に使用されるように構成される、Ｃ１３に記載の方法。
［Ｃ１９］  前記第１のＴＴＩは、第１のコンポーネントキャリア上の通信に使用されるように構成され、前記第２のＴＴＩは、第２のコンポーネントキャリア上の通信に使用されるように構成される、Ｃ１３に記載の方法。
［Ｃ２０］  前記情報は、１つまたは複数のビットマップによって示される、Ｃ１３に記載の方法。
［Ｃ２１］  前記１つまたは複数のビットマップの値は、通信することに使用されるリソースブロックに対応する、Ｃ２０に記載の方法。
［Ｃ２２］  前記第１のＴＴＩのための第１のビットマップに示されるリソースの第１のリソース粒度は、前記第２のＴＴＩのための第２のビットマップに示されるリソースの第２のリソース粒度とは異なる、Ｃ２０に記載の方法。
［Ｃ２３］  前記情報は、サブフレームの異なるセットについての構成の異なるセットを示す、Ｃ１３に記載の方法。
［Ｃ２４］  前記第３のＴＴＩに基づく第３の構成を決定することをさらに備え、前記情報は、前記第３のＴＴＩのための前記第３の構成をさらに示す、Ｃ１３に記載の方法。
［Ｃ２５］  前記第１のＴＴＩまたは前記第２のＴＴＩのうちの少なくとも１つのためのダウンリンク制御情報（ＤＣＩ）における少なくとも１つの情報フィールドを送信するためのリソースを決定することをさらに備え、前記リソースの前記決定は、システム帯域幅に基づき、またはそのＴＴＩのための前記構成に基づき、前記情報は、前記少なくとも１つの情報フィールドのための前記リソースをさらに示す、Ｃ１３に記載の方法。
［Ｃ２６］  前記第１のＴＴＩ、前記第２のＴＴＩ、前記第１の構成、または前記第２の構成のうちの少なくとも１つに関する情報をバックホールを介して受信することをさらに備え、前記第１のＴＴＩ、前記第２のＴＴＩ、前記第１の構成、または前記第２の構成のうちの少なくとも１つの前記決定は、前記シグナリングに少なくとも部分的に基づく、Ｃ１３に記載の方法。
［Ｃ２７］  前記第１のＴＴＩまたは前記第２のＴＴＩのうちの少なくとも１つのためのチャネル状態情報（ＣＳＩ）フィードバックについての測定を実行するために使用されるべきリソースを決定することをさらに備え、前記情報は、前記測定を実行するために使用されるべき前記リソースをさらに示し、前記リソースの前記決定は、システム帯域幅に基づく、またはそのＴＴＩのための前記構成に基づく、Ｃ１３に記載の方法。
［Ｃ２８］  ユーザ機器（ＵＥ）によるワイヤレス通信のための装置であって、
第１の送信時間間隔（ＴＴＩ）に基づく第１の構成および第２のＴＴＩに基づく第２の構成を示す情報を受信するための手段と、ここにおいて、
前記第１のＴＴＩおよび前記第２のＴＴＩは各々、第３のＴＴＩよりも短く、
前記第１のＴＴＩおよび前記第２のＴＴＩは異なる、
前記第１の構成にしたがった前記第１のＴＴＩに基づいて、および前記第２の構成にしたがった前記第２のＴＴＩに基づいて通信するための手段と
を備える、装置。
［Ｃ２９］  基地局（ＢＳ）によるワイヤレス通信のための装置であって、
第１の送信時間間隔（ＴＴＩ）および第２のＴＴＩを決定するための手段と、ここにおいて、
前記第１のＴＴＩおよび前記第２のＴＴＩは各々、第３のＴＴＩよりも短く、
前記第１のＴＴＩおよび前記第２のＴＴＩは異なる、
前記第１のＴＴＩに基づく第１の構成および前記第２のＴＴＩに基づく第２の構成を決定するための手段と、
前記第１のＴＴＩのための前記第１の構成および前記第２のＴＴＩのための前記第２の構成を示す情報を送信するための手段と
を備える、装置。